(57)【特許請求の範囲】
【請求項１】
ベース板と、該ベース板の表面側に被せられるカバーとを備え、前記ベース板には、二つの光ファイバ同士を光学的に接続するための光コネクタアダプタのコネクタハウジングを挿脱可能とする挿入枠部と、光屋内線が許容最小曲げ半径以上を確保できるように上下左右の４方向に備えた光屋内線導入部と、該光屋内線導入部に連通され、光屋内線の余長を内周壁面に沿って複数段ループ状にして収納可能とした余長収納部と、該余長収納部に設けられ、光屋内線導入部を介しての外方への光屋内線の引っ張りにより前記余長の一部を最小半径を保つように巻き込み係止させる巻き取り係止部とを備え、
前記コネクタハウジングは、前記カバーの外側から当該コネクタハウジングの一方の嵌合部に光配線の光コネクタを嵌合させることによって、シャッター板を板バネの押圧力に抗して開放可能としてなり、
前記光屋内線導入部は、前記余長収納部の内壁から光屋内線が許容最小曲げ半径以下にならないよう湾曲分岐してなる溝条により構成され、
前記余長収納部の内面一端側における湾曲内壁面と、これに対向する巻き取り係止部の湾曲外壁面とによって囲まれた通路が形成され、当該通路により光屋内線を許容最小曲げ半径以下にならないようにガイドさせると共に、
前記余長収納部の内面他端側における湾曲内壁面と、これに対向する巻き取り係止部の湾曲外壁面とによって囲まれたスペースが形成され、当該スペースにより、余長収納部内に収容されている屋内配線のケーブル余長を前記光屋内線導入部から所定の長さに引き出した際に、光屋内線が許容最小曲げ半径以下にならないように巻き取り係止部の湾曲外壁面に巻き取り保持されることで、光屋内線の根元部分を最小半径で引き回し可能とすることを特徴とする光ローゼット。
【発明の詳細な説明】
【技術分野】
【０００１】
本発明は、光コネクタ部品の嵌合部を両端に有し、二つの光ファイバ同士を光学的に接続するために使用される光コネクタ用アダプタを備えた光ローゼットに関する。
【背景技術】
【０００２】
従来における光配線器具としての光ローゼットは、いろいろな構造が提案されている。インターネットの光キャリア工事方式としては、光ケーブルを宅内に引き込む場合、光アウトレットや、光ローゼットといった光中継機器は用いずに、例えばＯＮＵ等の光終端器が直接取り付けられ、その光終端器で電気信号に変えられ、宅内ＬＡＮへの接続が行われる方式を採っていた。このため、従来として、実用に到っているものは殆どないのが実情である。
【０００３】
また、最近の動向として、新築物件への光配線の先行配線化、光終端器の自由化、キャリア会社の変更等の要望にこたえるため、光アウトレットや光ローゼットといった、中継装置を設けようとの考え方に変わってきている。
【特許文献１】特に無し
【発明の開示】
【発明が解決しようとする課題】
【０００４】
しかしながら、従来における光ローゼット構造としては、箱内に、光アダプタを取り付けるようにしたものが多くシャッター構造がローゼット箱側に設けられ、箱の外側から差し込む光コネクタプラグの案内性が悪いものであった。例えば、従来は光コネクタプラグを持っていない片方の手で、遮光・防塵シャッターを開けて、光ローゼットへプラグを差し込むようにしなければならない構造となっていた。
【０００５】
さらに、従来構造の光ローゼットにおいては、ローゼットの箱への引き込み口が、単一方向を向いたものが殆どで、宅内導入口から、光ローゼットへの導入経路に規制が生じる場合があった。
【０００６】
そこで、本発明は、叙上のような従来存した諸事情に鑑み案出されたもので、プラグを持った片手のみで光コネクタプラグを挿すことが容易に行えると共に、壁面上、上下左右の４方向から光屋内線を導入可能とし、しかもその導入口は、光屋内線が許容最小曲げ半径以下にならないような構造とした光ローゼットを提供することを目的とする。
【課題を解決するための手段】
【０００７】
上述した課題を解決するため、本発明にあっては、ベース板と、該ベース板の表面側に被せられるカバーとを備え、前記ベース板には、二つの光ファイバ同士を光学的に接続するための光コネクタアダプタのコネクタハウジングを挿脱可能とする挿入枠部と、光屋内線が許容最小曲げ半径以上を確保できるように上下左右の４方向に備えた光屋内線導入部と、該光屋内線導入部に連通され、光屋内線の余長を内周壁面に沿って複数段ループ状にして収納可能とした余長収納部と、該余長収納部に設けられ、光屋内線導入部を介しての外方への光屋内線の引っ張りにより前記余長の一部を最小半径を保つように巻き込み係止させる巻き取り係止部とを備え、
前記コネクタハウジングは、前記カバーの外側から当該コネクタハウジングの一方の嵌合部に光配線の光コネクタを嵌合させることによって、シャッター板を板バネの押圧力に抗して開放可能としてなり、
前記光屋内線導入部は、前記余長収納部の内壁から光屋内線が許容最小曲げ半径以下にならないよう湾曲分岐してなる溝条により構成され、
前記余長収納部の内面一端側における湾曲内壁面と、これに対向する巻き取り係止部の湾曲外壁面とによって囲まれた通路が形成され、当該通路により光屋内線を許容最小曲げ半径以下にならないようにガイドさせると共に、
前記余長収納部の内面他端側における湾曲内壁面と、これに対向する巻き取り係止部の湾曲外壁面とによって囲まれたスペースが形成され、当該スペースにより、余長収納部内に収容されている屋内配線のケーブル余長を前記光屋内線導入部から所定の長さに引き出した際に、光屋内線が許容最小曲げ半径以下にならないように巻き取り係止部の湾曲外壁面に巻き取り保持されることで、光屋内線の根元部分を最小半径で引き回し可能とすることを特徴とする。
【発明の効果】
【０００８】
本発明によれば、プラグを持った片手のみで光コネクタプラグを挿すことが容易に行えると共に、壁面上、上下左右の４方向から光屋内線を導入可能とし、しかもその導入口は、光屋内線が許容最小曲げ半径以下にならないような構造とした光ローゼットを提供することができる。
【０００９】
すなわち、本発明に係る光ローゼットは、壁面上、上下左右の４方向から光屋内線を導入可能とし、しかもその導入口は、光屋内線が許容最小曲げ半径以下にならないような構造とした光ローゼットとしたので、光屋内線の引き回しは上下左右いずれの方向からでも良く、これによって引き回し自由度が向上する。したがって、屋内の壁面、天井、床面等の各種の部分に光ローゼットを配置させることができ、光屋内線の余長をコンパクトに収納し且つ引き出すことが可能となることから、工事における失敗分の余長確保やＰＣ等の設置箇所の移動等による光ローゼットの取付位置の変更など当該光ローゼットの取付位置に自由度が持てるようにすることができる。
【００１０】
さらに、本発明に係る光ローゼットは、コネクタ挿入案内壁および遮光・防塵シャッター構造を有するシャッター付きの光コネクタ用アダプタを取り付ける構造のため、プラグを持った片手のみで、光ローゼットへ光コネクタプラグを挿すことが容易に行える。
【発明を実施するための最良の形態】
【００１１】
以下、図面を参照して本発明を実施するための最良の一形態を説明する。
【００１２】
本発明に係る余長収納型の光ローゼットは、例えば通信ケーブル、特に光ファイバ心線を有する光ファイバケーブルの配線区間において、屋外から屋内に引き込まれる光ケーブルのケーブル接続点における接続のために用いられ、屋内配線のケーブル余長を収納保護すると共に、ケーブル余長を所定の長さに引き出し可能とした構成となっている。
【００１３】
また、この光ローゼットにおいては、壁面上、上下左右の４方向に後述する光屋内線導入部を有し、しかもその導入部は、光屋内線が許容最小曲げ半径以下にならないような構造になっている。
【００１４】
さらに、光屋内線は、張力強度を得る為、鋼線が施されており、曲げに対して弾力性にとんだ光屋内線になっているので、光ローゼット内の光屋内線収容は、ボビンに巻き付けるのではなく、基本的に光ローゼットの内壁に沿わせるように収容する構造になっている。
【００１５】
以上に本発明の要点を記述したが、以下に、余長収納型の光ローゼットの具体的構成について詳細に説明する。
【００１６】
本発明に係る余長収納型の光ローゼット３１は、図６および図７に示すように、光屋内線Ｌの余長の一部である例えば約５０ｍｍ程度を収納したり引き出したりすることで、当該光ローゼット３１自体の取付位置の変更に自由度が持てるようにしたものであり、図６乃至図９に示すように、室内に裏面側が固定されるベース板３２と、該ベース板３２の表面側に被せられるカバー３３とを備え、当該ベース板３２の内面一端側隅所に、光コネクタ用アダプタ１が取り付けられている。
【００１７】
すなわち、図２および図３に示すように、ベース板３２の内面一端側隅所には、左右対向する起立片により前後側および上側が開放された挿入枠部３５が延設されている。この挿入枠部３５の左右対向箇所上側には凸部３６ｂが形成され、光コネクタ用アダプタ１が挿入枠部３５の外側開口端から挿入された際に、当該光コネクタ用アダプタ１の左右の側壁３ｃ上側に形成した段差状の凹部３６ａ（図２乃至図３参照）に当該凸部３６ｂが係合されるようにしてある。
【００１８】
また、挿入枠部３５の外側開口端における底側縁部には、上方に向けてＬ字状に突出したバネ片状の係止部３７が形成され、挿入枠部３５に挿入される光コネクタ用アダプタ１の嵌合部Ａ側の底壁３ｂがパッチン止め式に嵌り込んで抜け止め状態となって固定されるようにしてある（図１２参照）。一方、カバー３３には、図１に示すように、ベース板３２の挿入枠部３５の外側開口端に対応して開口部３３ａが形成され、該開口部３３ａから光コネクタ用アダプタ１のシャッター板１１が露出されるようにしてある。
【００１９】
図２、図３、および図５に示すように、べース板３２の内面には、光コネクタ用アダプタ１の嵌合部Ｂ（図１２参照）に装着された外被把持光コネクタプラグＰの光屋内線Ｌを最小半径となって収容するための長円形凹陥状の余長収納部４１が形成されている。
【００２０】
この余長収納部４１の上下左右の４方向には、該余長収納部４１の内壁から光屋内線Ｌが許容最小曲げ半径以下にならないよう接線で結ばれたように緩やかに湾曲分岐してなる溝条による光屋内線導入部４２ａ、４２ｂ、４２ｃ、４２ｄがそれぞれ形成されており、該光屋内線導入部４２ａ、４２ｂ、４２ｃ、４２ｄそれぞれを介して余長収納部４１は外部に連通されている。また、余長収納部４１の上方開口側には、光屋内線Ｌが余長収納部４１上方へ不用意に逸脱してしまうのを未然に阻止するための係止片４１ａを複数箇所にわたって設けている。
【００２１】
そして、図５、図６に示すように、ベース板３２内面の余長収納部４１の内周壁面に沿って光屋内線Ｌの余長が複数段ループ状にして収納され、上下左右の光屋内線導入部４２ａ、４２ｂ、４２ｃ、４２ｄのいずれかを介して光屋内線Ｌを外方へ突出させるものとしてある。
【００２２】
また、光屋内線導入部４２ａ、４２ｂ、４２ｃ、４２ｄそれぞれの外側開口端には、当該外側開口端からベース板３２内部にゴミや異物・湿気等の浸入を阻止するために、図２、図１０に示すように、折倒可能な細板突起状の閉塞部４３が突設されている。
【００２３】
一方、カバー３３には、図１に示すように、この閉塞部４３に対応して切欠溝４４が形成され、該切欠溝４４は内側に位置するベース板３２の閉塞部４３によって閉塞されている。そして、４つの光屋内線導入部４２ａ、４２ｂ、４２ｃ、４２ｄのうちのいずれか１つを使用したい場合には、これに対応した閉塞部４３を折倒して除去することで、外側開口端が開放される。
【００２４】
また、余長収納部４１の内面一端側の挿入枠部３５とは反対側に位置する余長収納部４１の内面他端側には、余長収納部４１内に収容されている屋内配線Ｌのケーブル余長を光屋内線導入部４２ａ、４２ｂ、４２ｃ、４２ｄから所定の長さに引き出した際に、光屋内線Ｌが許容最小曲げ半径以下にならないように巻き取り保持するための円筒状の巻き取り係止部４５が突設されている。
【００２５】
すなわち、余長収納部４１の内面一端側における湾曲内壁面と、これに対向する巻き取り係止部４５の湾曲外壁面とによって囲まれた湾曲した細長の通路が、光屋内線Ｌを許容最小曲げ半径以下にならないようにガイドさせているのである。
【００２６】
しかし、図９に示すように、余長収納部４１の内面一端側における湾曲内壁面が存在せず、光屋内線Ｌの最小曲げを確保するための規制部分がベース板３２内壁のみに存在する場合には、光屋内線Ｌの収容余長が長すぎてベース板３２内壁に光屋内線Ｌが寄せられると、屋内配線Ｌはベース板３２の内面角部に圧接し屈曲されて、曲げ半径の小さい状態に極端に曲げられてしまい、最小曲げ半径以上を確保できなくなるのである。
【００２７】
本発明の光ローゼットでは、余長収納部４１の内面他端側における湾曲内壁面と、これに対向する巻き取り係止部４５の湾曲外壁面とによって囲まれた幅広なスペースは、余長収納部４１内に収容されている屋内配線Ｌのケーブル余長を光屋内線導入部４２ａ、４２ｂ、４２ｃ、４２ｄから所定の長さに引き出した際に、図７（ａ）乃至（ｅ）に示すように、光屋内線Ｌが許容最小曲げ半径以下にならないように巻き取り保持されることから、局側光コネクタプラグから出た光屋内線Ｌの根元部分を最小半径で引き回し可能となる。しかも、前記した光屋内線導入部４２ａ、４２ｂ、４２ｃ、４２ｄそれぞれは上下左右の４つに配置されているため、光屋内線Ｌの引き回しは上下左右いずれの方向からでも可能である。
【００２８】
一方、光屋内線導入部４２ａ、４２ｂ、４２ｃ、４２ｄを介しての余長収納部４１内への光屋内線Ｌの押し込みにより、巻き取り係止部４５に対する余長の巻き込みを解放させて巻き取り係止部４５位置から離反している余長収納部４１の内周壁面にスライド収納される（図６（ａ）乃至（ｄ）参照）。
【００２９】
例えば、余長収納部４１内に光屋内線Ｌを収納した状態では最大５０ｍｍ縮まると共に、余長収納部４１から光屋内線Ｌを引き出した状態では、最大５０ｍｍ伸びた状態となる。また、通常においては、光屋内線Ｌは余長収納部４１の内周壁面と巻き取り係止部４５との間の幅広なスペース内の定位置に収納されている。
【００３０】
ところで、前記余長収納部４１の幅員は、光屋内線Ｌの最低曲径で決定されており、また余長収納部４１の収納量は光屋内線Ｌの重ね段数と、巻き取り係止部４５の半径によって決定されている。また、ベース板３２自体の大きさは、局側光コネクタプラグから出た光屋内線Ｌの当該ベース板３２側での最小半径による引き回しが可能となる範囲内でその大きさが決定されている。
【００３１】
また、本発明に係る余長収納型の光ローゼット３１は、図８に示すように、壁埋込ボックスＶへの取り付けにも対応できるように、余長収納部４１の内面には、当該壁埋込ボックスＶ内からの光導入口となる光屋内線Ｌの導入用開口部４６を形成してある。このとき、導入用開口部４６は、巻き取り係止部４５から離れた光コネクタ用アダプタ１近傍の余長収納部４１の内周壁面位置に形成されている。
【００３２】
また、ベース板３２の両端位置には、壁埋込ボックスＶに合わせたネジピッチを有するネジ孔４７が形成されており、屋内の壁面等の所定の位置における壁埋込ボックスＶにベース板３２下面を当接しておいてから、ベース板３２の表面側からネジ孔４７にネジをねじ込むことによって固定され、このベース板３２表面にカバー３３が嵌め込まれる。
【００３３】
さらに、ベース板３２の裏面側には、両面粘着ファスナーのために平坦部が多く設けられ、該ベース板３２をネジで固定する替わりに、当該平坦部に貼着された両面粘着ファスナーを介してベース板３２自体を屋内の所望の位置に固定しても良い。
【００３４】
次に、以上のように構成された本発明光ローゼットの最良の形態についての組立、使用、動作の一例について説明する。
【００３５】
先ず、光ローゼット３１のベース板３２からカバー３３を取り外し、屋内の壁面等の所定の位置にネジ止め固定した後、ベース板３２に添付されている光コネクタ用アダプタ１を取り外しておく。そして、図５（ａ）に示すように、光屋内線Ｌの終端に取り付けられている外被把持光コネクタプラグＰを光コネクタ用アダプタ１に接続する。
【００３６】
また、図５（ｂ）に示すように、光屋内線導入部４２ａ、４２ｂ、４２ｃ、４２ｄのいずれかを介して余長収納部４１内へ光屋内線Ｌを導入して当該余長収納部４１の内周壁面に沿って光屋内線Ｌの余長を複数段ループ状にして収納する。
【００３７】
図５（ｃ）に示すように、光屋内線Ｌの外被把持光コネクタプラグＰを接続した光コネクタ用アダプタ１をベース板３２の挿入枠部３５に若干手前にずらした状態で上側から嵌め込み、光コネクタ用アダプタ１を挿入枠部３５に沿って後方へ押すことで、図５（ｄ）に示すように、挿入枠部３５の外側開口端における係止部３７に光コネクタ用アダプタ１の嵌合部Ａ側の底壁３ｂがパッチン止め式に嵌り込んで抜け止め状態となって固定される。この後、カバー３３がベース板３２に被せられ、挿入枠部３５の外側開口端に対応して形成された開口部３３ａから光コネクタ用アダプタ１のシャッター板１１が露出配置される。
【００３８】
このとき、ＰＣ等の各種電気機器の設置場所が決定されるのに伴い、余長収納型の光ローゼット３１の位置が決定された時には、屋内の壁面等への光ローゼット３１の設置条件に対応して、上下左右の光屋内線導入部４２ａ、４２ｂ、４２ｃ、４２ｄのいずれかを選択する。
【００３９】
すなわち、図６（ａ）に示すように、右方側からの光屋内線Ｌは、光ローゼット３１の右側の光屋内線導入部４２ｃに導入させ、図６（ｂ）に示すように、上方側からの光屋内線Ｌは、光ローゼット３１の上側の光屋内線導入部４２ａに導入させ、図６（ｃ）に示すように、左方側からの光屋内線Ｌは、光ローゼット３１の左側の光屋内線導入部４２ｄに導入させ、図６（ｄ）に示すように、下方側からの光屋内線Ｌは、光ローゼット３１の下側の光屋内線導入部４２ｂに導入させる。
【００４０】
また、余長収納部４１内に収容されている光屋内線Ｌのケーブル余長を上下左右の光屋内線導入部４２ａ、４２ｂ、４２ｃ、４２ｄ、または余長収納部４１内面の導入用開口部４６から所定の長さに引き出した際には、図７（ａ）乃至（ｅ）に示すように、光屋内線Ｌが許容最小曲げ半径以下にならないように巻き取り保持される。これによって外被把持光コネクタプラグＰから出た光屋内線Ｌの根元部分を最小半径で引き回し可能となる。
【００４１】
一方、光屋内線導入部４２ａ、４２ｂ、４２ｃ、４２ｄを介しての余長収納部４１内への光屋内線Ｌの押し込みにより、巻き取り係止部４５に対する余長の巻き込みを解放させて巻き取り係止部４５位置から離反している余長収納部４１の内周壁面にスライド収納される（図６（ａ）乃至（ｄ）参照）。
【００４２】
これにより、余長収納部４１内に光屋内線Ｌを収納した状態では例えば最大５０ｍｍ縮まると共に、余長収納部４１から光屋内線Ｌを引き出した状態では、例えば最大５０ｍｍ伸びた状態となるのである。このようにして、例えば工事の失敗における余長の確保やＰＣ等の各種電気機器の設置箇所の移動等によって、余長収納型の光ローゼット３１の取付位置が変更された場合でも、これに十分に対処することができるのである。
【００４３】
本発明に係る光ローゼットに使用される光コネクタ用アダプタ１は、図１１および図１２に示すように、二つの光コネクタＰ相互を接続できるように、合成樹脂の成型品でなる角筒状のコネクタハウジング２の両端に、光学軸が一致するように光コネクタＰの一方の嵌合部Ａと、光コネクタＰその他の光学部品の他方の嵌合部Ｂとをそれぞれ備えている。
【００４４】
コネクタハウジング２は、図１１に示すように、上側壁３ａと左右の側壁３ｃとが一体に形成して成り、底壁３ｂが上側壁３ａに対向して左右の側壁３ｃ間に取り付けられている。この中央には略コ字枠状となった左右一対の接合端壁部材３ｄが配置され、一方の嵌合部Ａにおける嵌合端３ｅは斜め上方向に向けて開口している。また、他方の嵌合部Ｂにおける接続端３ｆは水平方向に開口している。
【００４５】
また、図１１、図１２に示すように、一方の嵌合部Ａにおける上側壁３ａの内側中央には、光コネクタＰ挿入時のガイドのために、光軸方向に沿って直線溝条となったキー溝１２が形成されている。そして、後述するシャッター板１１が斜め配置となって嵌合部Ａの嵌合端３ｅを閉鎖した際には、外部からの塵埃の侵入を防ぐために、シャッター板１１上端の中央に突設した凸部１３で当該キー溝１２を内側から密閉するようにしてある。すなわち、シャッター板１１で嵌合部Ａの嵌合端３ｅを内側から閉鎖した状態では、キー溝１２と凸部１３、およびコネクタハウジング２の上側壁３ａとシャッター板１１の上端縁とがそれぞれ接触することでシャッター板１１は嵌合端３ｅを確実に係止させるものとなる。尚、他方の嵌合部Ｂにおける上側壁３ａには接続端３ｆから内側に向けてガイド溝１４が形成されている。
【００４６】
図１１および図１２に示すように、コネクタハウジング２の中央部に配される左右一対の接合端壁部材３ｄの一方には、一方の円筒５ａが嵌合端３ｅに向かって突設してあると共に、他方の接合端壁部材３ｄには、他方の円筒５ｂが接続端３ｆに向かって形成してあり、両円筒５ａ、５ｂが光学軸上で中心軸を一致させて接合端壁部材３ｄ同士を嵌合爪４を介して係合固定することによってスリーブホルダー５が形成される。このとき、スリーブホルダー５内側に円筒状の割りスリーブ６が装着され保持されている。また、両接合端壁部材３ｄの左右対称位置には、光コネクタＰに対するラッチ片７、８が、夫々の円筒５ａ、５ｂと側壁３ｃの間に沿って形成してある。
【００４７】
図１１、図１２に示すように、一方の嵌合部Ａにおける斜め開口となっている嵌合端３ｅには、当該嵌合端３ｅと同じ斜め配置で当該嵌合端３ｅを閉鎖するためのシャッター板１１が内側で開閉可能となるように設けられている。すなわち、シャッター板１１は、その下端左右対称位置に支軸１５を一体突設し、該支軸１５両端に設けられた突部１５ａを、嵌合端３ｅ下部の左右対向位置における底壁３ｂ、左右の側壁３ｃそれぞれに跨って形成された軸孔１６に回動可能に支承させてある。
【００４８】
そして、シャッター板１１下端と支軸１５とが連設されている略中央には矩形状の開口部１７が形成され、該開口部１７を介して、略Ｌ字形状に折曲して形成された板バネ１８を支軸１５中央に外嵌合させ、板バネ１８の一端を底壁３ｂに圧接させ、他端をシャッター板１１の内側面に圧接させることで当該シャッター板１１を閉鎖方向に付勢している。
【００４９】
このとき、シャッター板１１上端の中央に突設した凸部１３をコネクタハウジング２の上側壁３ａに設けられたキー溝１２に対し密閉状に係止させるようにしている。また、開口部１７は、板バネ１８の弾性力によって常に閉止された状態となっている。したがって、開口部１７からはコネクタハウジング２内に塵埃等が侵入しないのである。尚、板バネ１８は、シャッター板１１をコネクタハウジング２の一方の嵌合部Ａにおける嵌合端３ｅ内側に圧接させた際には、当該板バネ１８の一端は光軸上まで延設配置されるに足る長さを備えている。
【００５０】
こうして、コネクタハウジング２の一方の嵌合部Ａに光コネクタＰを嵌合させることによって、シャッター板１１を板バネ１８の押圧力に抗して開放させるのである。
【００５１】
また、シャッター板１１の外側面上方における左右対称位置には、突起部１９に傾斜ガイド２０を備えてなるガイド部材２１が付設され、コネクタハウジング２の一方の嵌合部Ａに嵌合する光コネクタＰをガイドすると共に、シャッター板１１を水平位置に保持するものとしている。
【図面の簡単な説明】
【００５２】
【図１】本発明の光コネクタ用アダプタを使用した余長収納型の光ローゼットの斜視図である。
【図２】ベース板の構成を示す斜視図である。
【図３】同じくベース板の平面図である。
【図４】光ローゼットの一例を示し、（ａ）は平面図、（ｂ）は側面図、（ｃ）は正面図である。
【図５】光ローゼットへの光屋内線の取り付け手順を示すもので、（ａ）は外被把持光コネクタプラグを光コネクタ用アダプタに接続する状態の平面図、（ｂ）は光屋内線の余長を余長収納部内の定位置に収納した状態の平面図、（ｃ）は光コネクタ用アダプタをベース板の挿入枠部に若干手前にずらした状態で上側から嵌め込んだ状態の平面図、（ｄ）は光コネクタ用アダプタを挿入枠部に沿って後方へ押して固定した状態の平面図である。
【図６】上下左右の光屋内線導入部の使用状態を示し、（ａ）は右方側からの光屋内線を右側の光屋内線導入部に導入した状態の平面図、（ｂ）は上方側からの光屋内線を上側の光屋内線導入部に導入した状態の平面図、（ｃ）は左方側からの光屋内線を左側の光屋内線導入部に導入した状態の平面図、（ｄ）は下方側からの光屋内線を下側の光屋内線導入部に導入した状態の平面図である。
【図７】（ａ）乃至（ｅ）は、余長収納部内に収容されている屋内配線の余長を上下左右の光屋内線導入部または余長収納部内面の導入用開口部から所定の長さに引き出した状態を示す平面図である。
【図８】屋内の壁埋込ボックスに設置対応可能とした光ローゼットの一例を示し、（ａ）は平面図、（ｂ）は（ａ）のＡ−Ａ断面図である。
【図９】光屋内線の最小曲げを確保するための規制部分がベース板内壁のみに存在する場合での屋内配線が最小曲げ半径以上を確保できない状態を示す平面図である。
【図１０】折倒可能な閉塞部の一例を示す一部切欠斜視図である。
【図１１】同じく光コネクタ用アダプタの斜視図である。
【図１２】同じく光コネクタ用アダプタの中央縦断面図である。
【符号の説明】
【００５３】
Ｐ                              光コネクタ
Ａ、Ｂ                          嵌合部
Ｌ                              光屋内線
Ｖ                              壁埋込ボックス
Ｐ                              外被把持光コネクタプラグ
１                              光コネクタ用アダプタ
２                              コネクタハウジング
３ａ                            上側壁
３ｂ                            底壁
３ｃ                            左右の側壁
３ｄ                            接合端壁部材
３ｅ                            嵌合端
３ｆ                            接続端
５ａ、５ｂ                      円筒
５                              スリーブホルダー
６                              割りスリーブ
７、８                          ラッチ片
１１                            シャッター板
１２                            キー溝
１３                            凸部
１４                            ガイド溝
１５                            支軸
１５ａ                          突部
１６                            軸孔
１７                            開口部
１８                            板バネ
１９                            突起部
２０                            傾斜ガイド
２１                            ガイド部材
３１                            光ローゼット
３２                            ベース板
３３                            カバー
３３ａ                          開口部
３５                            挿入枠部
３６ａ                          凹部
３６ｂ                          凸部
３７                            係止部
４１                            余長収納部
４１ａ                          係止片
４２ａ、４２ｂ、４２ｃ、４２ｄ  光屋内線導入部
４５                            巻き取り係止部
４６                            導入用開口部
４７                            ネジ孔
【図１】
0004917505.tif 000002
【図２】
0004917505.tif 000003
【図３】
0004917505.tif 000004
【図４】
0004917505.tif 000005
【図５】
0004917505.tif 000006
【図６】
0004917505.tif 000007
【図７】
0004917505.tif 000008
【図８】
0004917505.tif 000009
【図９】
0004917505.tif 000010
【図１０】
0004917505.tif 000011
【図１１】
0004917505.tif 000012
【図１２】
0004917505.tif 000013